(57)【要約】【課題】衛生洗浄装置が便器のボウルに被る部分を減らしつつ、温風を「おしり」などに効率的に届かせる衛生洗浄装置及びこれを備えたトイレ装置を提供する。【解決手段】吐水ノズル６１５と温風吹出ダクト６２４とを内蔵し、腰掛便器８００の上部に設置される本体部４００を備え、前記本体部の前面は、後方に凹ませた湾曲凹面４０２を有し、前記湾曲凹面は、その中央付近が高く左右端部に向けて次第に低くなる形状を有し、前記湾曲凹面の前記中央付近に、前記吐水ノズル及び温風吹出ダクトの一端部が臨む少なくとも一つの開口部と、前記開口部を塞ぐ開閉可能な蓋体と、が設けられたことを特徴とする衛生洗浄装置１００を提供する。【選択図】  図３
2007284927.tif 000002
【特許請求の範囲】
【請求項１】
吐水ノズルと温風吹出ダクトとを内蔵し、腰掛便器の上部に設置される本体部を備え、
前記本体部の前面は、後方に凹ませた湾曲凹面を有し、
前記湾曲凹面は、その中央付近が高く左右端部に向けて次第に低くなる形状を有し、
前記湾曲凹面の前記中央付近に、前記吐水ノズル及び温風吹出ダクトの一端部が臨む少なくとも一つの開口部と、前記開口部を塞ぐ開閉可能な蓋体と、が設けられたことを特徴とする衛生洗浄装置。
【請求項２】
前記開口部は、前記吐水ノズルが臨む第１の開口部と、前記第１の開口部に隣接して設けられ前記温風吹出ダクトの前記一端部が臨む第２の開口部と、を含むことを特徴とする請求項１記載の衛生洗浄装置。
【請求項３】
前記本体部は、前記湾曲凹面の上に設けられ後方に向けて高くなる傾斜面を有することを特徴とする請求項１または２に記載の衛生洗浄装置。
【請求項４】
前記本体部は、前記湾曲凹面の前記左右端部よりも前記中央に近接した位置の下面に設けられた排水部を有することを特徴とする請求項１〜３のいずれか１つに記載の衛生洗浄装置。
【請求項５】
前記吐水ノズルは、噴射孔を有するノズルヘッドと少なくとも１つのシリンダ部とがスライド可能とされた多段式のノズルであることを特徴とする請求項１〜４のいずれか１つに記載の衛生洗浄装置。
【請求項６】
前記本体部は、脱臭機構をさらに有し、
前記湾曲凹面に近接した前記本体部の下面に、前記脱臭機構の吸気孔が設けられたことを特徴とする請求項１〜５のいずれか１つに記載の衛生洗浄装置。
【請求項７】
腰掛便器と、
前記腰掛便器の上部に設置される請求項１〜６のいずれか１つに記載の衛生洗浄装置と、
を備え、
前記湾曲曲面により、前記本体部に対して前記ボウルのほとんどを露出させたことを特徴とするトイレ装置。
【請求項８】
前記湾曲凹面は、前記腰掛便器のボウルの開口端よりも前記ボウルの側に突出していることを特徴とする請求項７記載のトイレ装置。
【発明の詳細な説明】
【技術分野】
【０００１】
本発明は、衛生洗浄装置及びトイレ装置に関し、より具体的には、洋式腰掛便器に腰かけた使用者の「おしり」などを水で洗浄する衛生洗浄装置及びこれを備えたトイレ装置に関する。
【背景技術】
【０００２】
衛生洗浄装置は、洗浄水を噴射する洗浄ノズルをその内部に進退自在に収容し、腰掛便器の上面後部に設置して使用する形態のものが主流となっている。そして、このような衛生洗浄装置の清掃性の向上などを目的として、その小型化が検討されている。すなわち、衛生洗浄装置の前面を後退させれば、腰掛便器のボウルに被る部分を減らすことができ、ボウルに被った衛生洗浄装置の裏面の汚れ落としの手間などが省ける。このためには、例えば、衛生洗浄装置の前面を後退させて、便器のボウルの開口に沿った湾曲状に形成することも考えられる（特許文献１）。
【特許文献１】特開２００３−３３９５７８号公報
【発明の開示】
【発明が解決しようとする課題】
【０００３】
しかし、衛生洗浄装置の前面を後退させると新たな問題が生ずる。すなわち、使用者の「おしり」などを乾燥するための温風の吹出口がこれまでよりも後方に遠ざかってしまうために、従来のような偏平な開口形状の吹出口では温風が拡散してしまい、「おしり」などに温風が効率的に届かなくなる。
【０００４】
本発明は、かかる課題の認識に基づいてなされたものであり、衛生洗浄装置が便器のボウルに被る部分を減らしつつ、温風を「おしり」などに効率的に届かせる衛生洗浄装置及びこれを備えたトイレ装置を提供するものである。
【課題を解決するための手段】
【０００５】
本発明の一態様によれば、
吐水ノズルと温風吹出ダクトとを内蔵し、腰掛便器の上部に設置される本体部を備え、
前記本体部の前面は、後方に凹ませた湾曲凹面を有し、
前記湾曲凹面は、その中央付近が高く左右端部に向けて次第に低くなる形状を有し、
前記湾曲凹面の前記中央付近に、前記吐水ノズル及び温風吹出ダクトの一端部が臨む少なくとも一つの開口部と、前記開口部を塞ぐ開閉可能な蓋体と、が設けられたことを特徴とする衛生洗浄装置が提供される。
【０００６】
また、本発明の他の一態様によれば、
腰掛便器と、
前記腰掛便器の上部に設置される上記衛生洗浄装置と、
を備え、
前記湾曲凹面により、前記本体部に対して前記ボウルのほとんどを露出させたことを特徴とするトイレ装置が提供される。
【発明の効果】
【０００７】
本発明によれば、衛生洗浄装置が便器のボウルに被る部分を減らしつつ、温風を「おしり」などに効率的にあてることができる衛生洗浄装置及びこれを備えたトイレ装置を提供することができる。
【発明を実施するための最良の形態】
【０００８】
以下、図面を参照しつつ本発明の実施の形態について説明する。  
図１は、本発明の実施の形態にかかるトイレ装置の外観を表す模式斜視図である。  
また、図２は、このトイレ装置の便座２００と便蓋３００を開いた状態を表す。
【０００９】
本実施形態のトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対してそれぞれ開閉自在に軸支されている。
【００１０】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００１１】
また、本体部４００には、「温風乾燥ユニット」の他、「脱臭ユニット」や「室内暖房ユニット」などの各種の機構が適宜設けられ、その側面には、排気口４４０及び排出口４５０が適宜設けられている。また、使用者の接近を検知して便蓋３００を自動的に開き、使用者がいなくなると便蓋３００を自動的に閉じる「オート開閉機能」を設けることもできる。またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００１２】
これらの機能は、本体部４００に設けられた操作部（図示せず）を適宜操作することにより実行・設定でき、また、トイレの壁面などに設置されたリモコン（図示せず）を操作することにより実行させることも可能である。また、図１に表した具体例の場合、本体部４００の上面に凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００１３】
そして、本実施形態においては、図２に表したように、本体部４００が、便器８００のボウル８１０の開口に合わせて後退した形状を有する。すなわち、本体部４００は、便器８００の上部後方に設置され、その前面は、便器８００のボウル８１０の開口の形状に沿ってボウル８１０の開口端よりもボウル８１０の側にわずかに突出するように凹状に湾曲した湾曲凹面４０２とされている。そして、湾曲凹面４０２の左右には、ボウル８１０の開口に沿って前方に向けて延出した延出部４０４が設けられている。また、湾曲凹面４０２及び延出部４０４の上方には、後方に向けて高くなる傾斜面４０８が設けられている。なおここで、「後方」とは、図１に表したように、通常はロータンクやフラッシュバルブなどが設置される側であり、通常の使用態様において使用者からみて遠い側を意味する。
【００１４】
図３は、本体部４００を前方から眺めた模式図である。  
湾曲凹面４０２の高さ方向の幅は、中央付近で大きく、左右の延出部４０４に近づくにしたがって次第に小さくなる。つまり、ほぼ鉛直な面である湾曲凹面４０２は、その中央付近が高く、左右の延出部４０４に近づくにしたがって次第に低くなる形状を有する。より具体的には、湾曲凹面４０２の中央はおよそ４５ｍｍ、左右端部はおよそ１３ｍｍの高さであり、約７：２の比率になっている。  
このように、湾曲凹面４０２の中央付近を高くすることにより、男性の立位の小用に際して本体部４００に小水がかかったとしても、湾曲凹面４０２の中央付近の背の高い部分で小水を受けてボウル８１０に落下させることができる。つまり、小水が本体部４００の傾斜面４０８などにかかることを抑制でき、小水による汚れを可及的に減らすことができる。また一方、湾曲凹面４０２の左右端部の高さを低くしたことにより、その上を覆う便座２００の座面を座りやすい低さまで下げることができる。
【００１５】
一方、湾曲凹面４０２の中央付近の高い部分には、吐水ノズル及び温風乾燥ユニットの吹出ダクトの一端部が臨む位置に、２つの開口部を隣接させて設けている。湾曲凹面４０２の中央には、吐水ノズルを進出及び後退させる開口部及びその開口部を覆う閉止部材としてのノズルダンパー４６０が設けられ、その右側には、温風ダクトの吹出口が臨む開口部及びその開口部を覆う閉止部材として温風ダンパー４７０が設けられている。これらは、いずれも開閉自在に支持され、待機状態においては、いずれも閉じられた状態とされる。そして、便座２００に座った使用者の「おしり」などを洗浄するために吐水ノズルが進出すると、吐水ノズルに押されるか若しくは電動でノズルダンパー４６０が開く。また、温風乾燥ユニット６２０から使用者の「おしり」などに向けて温風を吹き付ける際には、温風の風力で若しくは電動で温風ダンパー４７０が開く。
なお、この２つの開口部と、この開口部を覆うダンパー４６０、４７０に代えて、吐水ノズルの進退及び温風の吹出に共用する１つの開口部とダンパーを設けてもよく、また２つの開口部を１つのダンパーで覆うようにしてもよい。
【００１６】
このように、湾曲凹面４０２の中央付近の高い部分にノズルダンパー４６０を設けることにより、例えば、径の大きい多段式の吐水ノズルを湾曲凹面４０２からボウル８１０の中に進出させることができる。すなわち、本体部４００の前面を後退させて湾曲凹面４０２を形成したことにより、本体部４００に内蔵する吐水ノズルの進出距離も長くしなければならない。このため、吐水ノズルは、ノズルヘッドとひとつのシリンダ部とがスライド可能とされた２段式、あるいはそれ以上の多段式の構造とする必要がある。    
図４は、本実施形態の衛生洗浄装置１００に設けることができるノズルユニットを例示する模式図である。  
このノズルユニット６１０は３段式の構造を有する。すなわち、ノズル基部６１１の上に第３のシリンダ部６１２が固定され、その内側に第２のシリンダ部６１３が進退自在に支持され、第２のシリンダ部６１３の内側に第１のシリンダ部６１４が進退自在に支持され、第１のシリンダ部６１４の内側に噴射孔６１６を有するノズルヘッド６１５が進退自在に支持されている。また、第３のシリンダ部６１２の前方には、吐水ノズルの胴体を洗浄するノズル洗浄室６１７が設けられている。この吐水ノズルは、図４（ａ）に表したように後退した状態においては、本体部４００の中に収容され、図４（ｂ）に表したように進出した状態においては、ノズルダンパー４６０（図３参照）を開いてボウル８１０の中に進出する。
【００１７】
このような吐水ノズルは、多段式の構造をとるために必然的にその径も大きくなる。このために、本体部４００から進出させるためには、ノズルダンパー４６０も大きくしなければならない。これに対して、本実施形態によれば、湾曲凹面４０２の中央付近を高くし、この高い部分にノズルダンパー４６０を設けることにより、図４に例示したような径が太く長い進出距離を有する多段式の吐水ノズルをボウル８１０の中に進出させ、使用者の「おしり」などに向けて確実に吐水させることができる。
【００１８】
またさらに、本実施形態によれば、湾曲凹面４０２の中央付近の高い部分に温風ダンパー４７０を設けることにより、使用者の「おしり」などを乾燥する温風の吹出口を好適な形状にできる。  
図５は、温風の吹出口の形状を例示する模式図である。すなわち、同図（ａ）は本実施形態における吹出口を例示し、同図（ｂ）は比較例の吹出口を例示する。
【００１９】
所定の風量の温風を吹き出すためには、吹出口の開口面積は所定の大きさである必要がある。本体部４００の前面の高さが低い場合には、図５（ｂ）に表したように、縦方向の幅が低く横方向に偏平な吹出口を採用せざるを得ない。例えば、図５（ｂ）に例示した比較例の吹出口の場合、その縦方向の幅Ａは１０ミリメータであるのに対して横幅Ｂは４３ミリメータであり、横方向に偏平した開口を有する。
【００２０】
しかし、図２及び図３に関して前述したように本体部４００の前面を後退させて湾曲凹面４０２を形成したことにより、吹出口の位置は、使用者の「おしり」などから遠ざかることとなる。このような場合に図５（ｂ）に表したような偏平な吹出口を用いると、温風が左右方向に拡散してしまい、使用者の「おしり」に十分な風量の温風を届かせることが困難となる。
【００２１】
これに対して、本実施形態によれば、図５（ａ）に表したように、縦方向の幅と横幅とが接近した吹出口を設けることができる。これは、湾曲凹面４０２の中央付近を高くし、この高い部分にノズルダンパー４６０を設けたからである。例えば、図５（ａ）に例示した吹出口の場合、その開口の縦方向の幅Ａを１８ミリメータまで拡大できる。その結果、横方向の幅Ｂを２７ミリメータまで縮小させ、開口寸法の縦横比を１に近づけることができる。このように開口寸法の縦横比を１に近づけることにより、集束した温風を吹き出すことができる。その結果として、使用者の「おしり」からみて後方に遠ざかった湾曲凹面４０２から使用者の「おしり」に集束した温風を届かせることができる。
【００２２】
なお、図５（ｂ）に表した比較例の吹出口の開口面積は約４３０平方ミリメータであるのに対して、図５（ａ）に表した吹出口の開口面積は約４８０ミリメータである。つまり、湾曲凹面４０２の中央付近の背の高い部分にノズルダンパー４６０を設けることにより、吹出口の縦方向の寸法を大きくでき、開口の縦横比を１に近づけつつ開口面積を拡大することも可能となる。  
本実施形態において温風を集束させる効果については、後に具体例を参照しつつ詳述する。
【００２３】
次に、本体部４００の前面を後方に後退させて湾曲凹面４０２とした効果について説明する。  
図６は、本実施形態のトイレ装置から便座２００と便蓋３００を外して前方から眺めた斜視図である。  
また、図７は、比較例のトイレ装置を前方から眺めた斜視図である。なお、図６及び図７は、便器８００の前にしゃがんだ状態で便器を清掃する使用者の目線からみたボウル８１０の眺めを表し、具体的には、便器８００の前端からおよそ１００ミリメータ離れ、床面から約１０００ミリメータの高さから眺めたボウル８１０の外観を表す。
【００２４】
また、図８は、本実施形態のトイレ装置の断面図であり、
図９は、第１比較例のトイレ装置の断面図である。図８及び図９は、便器８００の前にしゃがんだ状態で便器を清掃する使用者の目線からみえる範囲を説明するための模式図である。
【００２５】
まず比較例について説明すると、図７及び図９に表した第１比較例においては、本体部４００は便器８００のボウル８１０の上に延出し、破線で表した領域４００Ｐがボウル８１０の開口の後方部分を塞いでいる。しかし、このように本体部４００がボウル８１０の上にはみだしていると、男性の立位の小用の際に小水が本体部４００にかかりやすくなる。また、このように本体部４００がボウル８１０の上にはみだしていると、ボウル８１０の有効開口面積が狭められるため、立位で小用をする男性に対して狭窄感を与える。また、このようにはみだした領域４００Ｐの裏面側にも汚れが付着しやすく、その清掃性の点でも改善の余地がある。
【００２６】
さらには、このように本体部４００がボウル８１０の上にはみだしていると、ボウル８１０の後方上部に汚れが付着しても見えず、且つ、その部位の清掃がしにくくかった。すなわち、図７に表した比較例の場合、使用者が便器８００の前にしゃがんだ状態においても、ボウル８１０の上端のリム部８２０は、本体部のはみ出し領域４００Ｐの陰に隠れて見えない。このため、使用者が領域４００Ｐの下のリム部８２０を掃除するためには、さらにかがんだ姿勢で覗き込むようにしなければならない。  
これに対して、本実施形態においては、図６及び図８に表したように、本体部４００の前面を後退させて湾曲凹面４０２を形成することにより、男性の立位での小用の際にも小水がかかりにくくなり、使用者に対して視覚的な狭窄感を与えることもない。また、図３に関して前述したように、湾曲凹面４０２の中央付近を高くすることにより、男性の立位の小用に際して本体部４００に小水がかかったとしても、湾曲凹面４０２の中央付近の背の高い部分で小水を受けてボウル８１０に落下させることができる。つまり、小水が本体部４００の傾斜面４０８などにかかることを抑制でき、小水による汚れを可及的に減らすことができる。
【００２７】
そして、このように本体部４００を後退させることにより、本体部４００の裏面への汚れの付着も抑制でき、清掃性も格段に改善できる。すなわち、本実施形態によれば、図８に表したように、便器８００の前にしゃがんだ使用者の視線からみて、ボウル８１０の後端のリム部８２０の上端付近まで見える。従って、使用者は、その姿勢のまま雑巾やブラシなどを用いてボウル８１０の後端まで清掃し、汚れが落ちてきれいになったことを確実且つ容易に確認できる。また、本実施形態においては、本体部４００のボウル８１０の上への突出量が抑制されているので、その突出部の裏側に付着した汚れなどを清掃することも容易である。例えば、雑巾などで清掃する際にも、使用者が本体部４００の裏側に雑巾をあてがった状態で、左右にサッと拭き取ることができる。
【００２８】
図１０は、本実施形態における湾曲凹面４０２とボウル８１０との関係を説明するための模式平面図である。  
同図に表したように、本体部の湾曲凹面４０２は、ボウル８１０の開口形状にほぼ沿った形態を保ちつつ、湾曲凹面４０２のほぼ全体がボウル８１０の開口端よりもボウル８１０の側にわずかに突出している。湾曲凹面４０２の左右前端でのボウル８１０への突出量をａ、ｂとし、中央付近でのボウル８１０への突出量をｃとすると、ａ及びｂは相対的に小さく、ｃは相対的に大きくすることができる。このようにすれば、ボウル８１０の開口形状と略連続させてボウル８１０のほとんどを露出させつつ、本体部４００とボウル８１０の開口端との隙間への小水などの侵入を効果的に防止できる。これは、男性の立位の小用の際には、小水は主に中央付近に向けられるからであり、さらに本体部４００とボウル８１０の開口端との隙間が湾曲凹面４０２で覆われるため、その隙間に小水が直接かからないからである。また、このようにすると、排水及び脱臭のためのスペース（突出部）を確保することも容易となる。
【００２９】
具体的には、例えば、ａ及びｂは概ね数ミリメータ乃至１０ミリメータ程度で、ｃは概ね１０ミリメータ乃至１０数ミリメータ程度とすることができる。このように湾曲凹面４０２をわずかに突出させれば、小水の侵入を可及的に抑制できる。またさらに、本体部４００からボウル８１０への排水を確保し、さらに脱臭機能のための脱臭吸気口を確保することもできる。
【００３０】
また、本体部４００のボウル８１０への突出部の突出量をこのように制限することにより、例えば使用者の手指の先端から第１関節までの範囲で、雑巾を本体部４００の裏側にまんべんなくあてがうことも可能となる。つまり、使用者は、手指の第１関節を軽く曲げた状態のまま、手指の先端に雑巾をあてがって、本体部４００の湾曲凹面４０２に沿って左右に雑巾をサッと滑らすことにより、本体部４００の裏側と、これに隣接するリム部８２０の上端部を確実に清掃することが可能となる。湾曲凹面４０２はボウル８１０と略連続した曲面を構成しているので、雑巾がひっかかることもなく、スムーズ且つ確実に清掃できる。
【００３１】
次に、本実施形態の衛生洗浄装置の内部構造の一例について説明する。  
図１１は、本体部４００の内部を前方から眺めた斜視図である。  
本体部４００は、筐体を構成するケースカバー４３０とケースプレート７７０とを有する。ケースカバー４３０の上面には、人体検知センサ５００や表示部６７０が適宜設けられている。表示部６７０は、例えばトイレ装置に対する電源の投入状態などを適宜表示する役割を有する。また、ケースカバー４３０の前部の上部には、便座２００を自動開閉させるための電動開閉ユニット７８０が突出して設けられている。
【００３２】
一方、ケースカバー４３０の内部をみると、その前方には、ノズルユニット６１０、温風乾燥ユニット６２０、脱臭ユニット６３０、が併設されている。ノズルユニット６１０は、図４に関して前述したように、進退自在の吐水ノズルを有し、便座２００に座った使用者の「おしり」などに水を噴射して洗浄する役割を有する。温風乾燥ユニット６２０は、図５に関して前述したような吹出口を有し、便座２００に座った使用者の「おしり」などに温風をあてて乾燥させる役割を有する。脱臭ユニット６３０は、便器８００のボウル８１０内の空気を吸引し、脱臭して排気口４４０から排出する役割を有する。
【００３３】
また、ケースカバー４３０の内部の前部上方にはＡＣ（交流）コントローラ６４０が設けられ、その後部には、ポンプユニット６５０と熱交換ユニット６６０が設けられている。熱交換ユニット６６０に供給された水が加熱され、ポンプユニット６５０で水に脈動を付与し、ノズルユニット６１０にこの脈動水を供給する。
【００３４】
また、ケースカバー４３０の側面には、補助操作ユニット（図示せず）が適宜設けられている。補助操作ユニットは、ノズルユニット６１０による「おしり」の洗浄などを操作するスイッチが設けられ、例えば、リモコン（図示せず）による操作が不可能な状態においても衛生洗浄機能の動作を制御可能としたものである。
【００３５】
一方、ケースカバー４３０の内部の後部には、電動開閉ユニット７２０と便器洗浄バルブユニット７３０とが併設されている。電動開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直結給水式」の構造を有し、ロータンクなどを設けずに、水道から供給される水を便器洗浄バルブユニット７３０を介して便器８００に供給して洗浄を実施する。ただし、本発明はこれには限定されず、ロータンク式のトイレに取付可能な衛生洗浄装置も包含する。
【００３６】
一方、ケースカバー４３０の内部の最後部には、室内暖房ユニット７４０が設けられている。室内暖房ユニット７４０は、温風を排出口４５０（図１参照）から排出することによりトイレ装置が設置されたトイレ空間を暖房する役割を有する。
【００３７】
そして、このような各種の機構を備えた本体部４００の内部において、排水が生ずることがある。例えば、ノズルユニット６１０はその先端にノズル洗浄室を備え、吐水ノズルの使用の前後などにノズル洗浄室において水を噴射することにより吐水ノズルを洗浄する。この洗浄水は、ケースプレート７７０の前端中央部に設けられたトイ状の排水部７７１からボウル８１０に排出される。
【００３８】
また、熱交換ユニット６６０に水を供給するバルブユニットには、バキュームブレーカーや安全弁（図示せず）が設けられている。バキュームブレーカーは、例えば、衛生洗浄装置１００を給水管から取り外す際などに、衛生洗浄装置１００の内部の配管などに残留した水を排水するためのバルブである。また、安全弁は、排水系統の水圧が万が一所定値よりも上昇した場合に、水を放出させるバルブである。
【００３９】
衛生洗浄装置１００の横幅が大きく、便器８００よりも横方向に突出している場合には、バキュームブレーカーや安全弁から放出される水を、この突出部から外部に排水させることも可能である。しかし、図１及び図６に例示したように、衛生洗浄装置１００の横幅を便器８００の横幅と同程度にまでコンパクトにすると、バキュームブレーカーや安全弁からの排水を衛生洗浄装置１００の横から取り出すことが困難となる。
【００４０】
これに対して、本具体例においては、バキュームブレーカーや安全弁から放出される水をボウル８１０に排水できる。  
図１２は、本体部４００の上側ケースと内部の機構を取り除きケースプレート（取付基板）７７０を露出させた状態を表す模式図である。  
ボウル８１０の開口端よりもボウル８１０の側に突出した部分に、排水孔７７３を設け、排水チューブでバキュームブレーカーや安全弁に接続することにより、バキュームブレーカーや安全弁からの排水をボウル８１０に排出できる。また、ボウル８１０の開口端よりもボウル８１０の側に突出したケースプレート７７０の中央端部に、トイ状の排水部７７１を設けることにより、吐水ノズルのノズル洗浄室６１７（図４参照）からの排水もボウル８１０に排出することができる。さらに、ボウル８１０の開口端よりもボウル８１０の側に突出した部分に、脱臭のための吸気孔７７４も設けることができる。
【００４１】
このように、本体部４００をボウル８１０の開口端よりもボウル８１０の側にわずかに突出させることにより、バキュームブレーカーや安全弁や吐水ノズルからの排水をボウル８１０に排出できる。さらに、脱臭用の吸気孔７７４も設けて、脱臭に必要とされる風量を得るための開口面積を確保することができる。
【００４２】
またさらに、本実施形態によれば、湾曲凹面４０２の中央付近を高くし、湾曲凹面の左右端部よりも中央に近接した位置の下面に排水孔７７３を設けることにより、バキュームブレーカーや安全弁からの排水チューブも接続しやすくなる。  
図１３は、バキュームブレーカーや安全弁からの排水チューブの接続部の断面構造を例示する模式図である。  図１３（ａ）に表したように、湾曲凹面４０２の高さが低い部分の下に排水孔７７３を設けた場合には、破線で表したように、ケースカバー４３０に当たって排水チューブ６６２が潰れてしまい、うまく排水されないおそれがある。これに対して、図１３（ｂ）に表したように、湾曲凹面４０２の高さが高い部分の下に排水孔７７３を設けると、破線で表したように、ケースカバー４３０と排水チューブ６６２との間に余裕が生ずるので、排水チューブ６６２が潰れることなく、確実に排水させることが可能となる。
【００４３】
次に、本実施形態において設ける温風乾燥ユニットについて、具体例を参照しつつさらに詳細に説明する。  
図１４は、ケースプレートの上に取り付けられた温風乾燥ユニット６２０の平面図である。  
すなわち、温風乾燥ユニット６２０は、モータを内蔵した排気ファン６２２と、ヒータ及び温度センサを内蔵したダクト６２４と、を有する。排気ファン６２２から送出された風がダクト６２４において暖められ、吹出口６２６から放出される。そして、本実施形態においては、図５に関して前述したように、吹出口６２６は、吐水ノズルに隣接し、湾曲凹面４０２の中央付近の背の高い部分に設けられている。
【００４４】
図１５は、 吹出口６２６から放出される温風の方向を表す模式図である。  
本実施形態においては、湾曲凹面４０２の中央付近に設けられた温風ダンパー４７０（図３参照）の背後に設けられた吹出口６２６から、図１５（ａ）〜（ｃ）に表したように、便座２００に座った使用者の「おしり」の方向に集束した温風Ｈを吹き出すことができる。吹出口６２６が左右（水平）方向に偏平ではなく、開口寸法の縦横比が１に近いので、放出される温風Ｈが左右（水平）方向に拡がらず、集束した温風Ｈを遠くまで届けることができる。また、吹出口６２６の縦寸法を大きくすることにより、温風Ｈを上方に向けることができる。その結果として、便座２００に座った使用者の「おしり」に、十分な風量の温風Ｈを届けることができる。
【００４５】
図１６乃至図１８は、本発明者が実施した実験の結果を表す模式図である。  
すなわち、図１６（ａ）は本実施形態、（ｂ）は比較例の衛生洗浄装置の温風乾燥ユニットから放出される温風の分布を横から眺めた模式図である。  
また、図１７（ａ）は本実施形態、（ｂ）は比較例の衛生洗浄装置の温風乾燥ユニットから放出される温風の分布を上方から眺めた模式図である。  
また、図１８（ａ）は本実施形態、（ｂ）は比較例の衛生洗浄装置の温風乾燥ユニットから放出される温風Ｈの分布を正面（前方）から眺めた模式図である。
【００４６】
ここで、本実施形態の温風乾燥ユニットは、図５（ａ）に表した吹出口を有し、比較例の温風乾燥ユニットは図５（ｂ）に表した吹出口を有する。また、各図において、便座に座った使用者の「おしり」の中心位置を符号Ｃにより表した。
【００４７】
図１６から、本実施形態においては、比較例よりも温風Ｈの中心位置が高いことが分かる。これは、図５に関して前述したように、湾曲凹面４０２の中央付近の背の高い部分に吹出口６２６を設けることにより、開口の縦方向の寸法を大きくできたからである。  
本具体例（図６参照）においては、比較例（図７参照）よりも吹出口６２６の位置が後方に遠ざかっているので、図１６（ｂ）に表したように、比較例の吹出口を本具体例の温風ダンパー４７０の位置に設けたとすると、使用者の「おしり」の位置において、温風Ｈの中心が下がってしまう。これに対して、本具体例の場合、使用者の「おしり」の位置において、比較例と比べて温風Ｈの中心を１５ミリメータほど高くすることができる。このように温風Ｈの中心を高くすることにより、使用者の「おしり」に確実に温風Ｈをあてることができる。
【００４８】
また、図１７（ｂ）に表したように、比較例においては温風Ｈが左右（水平）方向に拡がっているのに対して、図１７（ａ）に表したように、本具体例においては温風Ｈが左右方向にも拡がらず、集束したままの温風Ｈを使用者の「おしり」の位置まで届けることができる。
【００４９】
その結果として、図１８（ｂ）に表した比較例よりも図１８（ａ）に表した本具体例においては、集束させ温度の低下を抑制した温風Ｈを遠くの使用者の「おしり」に確実に届けることができる。つまり、本実施形態によれば、図５に関して前述したように、湾曲凹面４０２の中央付近を高くし、この高い部分に温風ダンパー４７０を設けることにより、温風の吹出口６２６の縦方向の寸法を拡大し縦横比を１に近づけて、集束した温風Ｈを遠くまで届けることができる。
【００５０】
以上、具体例を参照しつつ、本発明の実施の形態について説明した。しかし、本発明は、これらの具体例に限定されるものではない。例えば、本発明の衛生洗浄装置及びトイレ装置に含まれる、脱臭装置、温風乾燥装置、着座センサ、筺体、リモコン、腰掛便器などの各要素については、当業者が適宜設計変更することにより本発明を同様に実施し、同様の効果を得ることができるものも本発明の要旨を含む限り、本発明の範囲に包含される。その他、衛生洗浄装置や便器を構成する各要素について変更を加えたものであっても、本発明の要旨を備える限りにおいて、本発明の範囲に包含される。
【００５１】
また、本発明のトイレ装置は、「ロータンク式」のものでもよく、または、水道からの水を便器に直接給水し洗浄する「水道直結給水式」のものでもよい。  
また、図１乃至図１８に関して前述した特徴部分は、技術的な可能な範囲においていかようにも組合せることができ、これら組合せにより得られた衛生洗浄装置及びトイレ装置についても、本発明の要旨を含む限りにおいて本発明の範囲に包含される。
【００５２】
その他、本発明の実施の形態として上述した衛生洗浄装置及びトイレ装置を基にして、当業者が適宜設計変更して実施しうるすべての衛生洗浄装置及びトイレ装置も同様に本発明の範囲に属する。
【図面の簡単な説明】
【００５３】
【図１】本発明の実施の形態にかかるトイレ装置の外観を表す模式斜視図である。
【図２】トイレ装置の便座２００と便蓋３００を開いた状態を表す。
【図３】本体部４００を前方から眺めた模式図である。
【図４】本実施形態の衛生洗浄装置１００に設けることができるノズルユニットを例示する模式図である。
【図５】温風の吹出口の形状を例示する模式図である。
【図６】本実施形態のトイレ装置から便座２００と便蓋３００を外して前方から眺めた斜視図である。
【図７】比較例のトイレ装置を前方から眺めた斜視図である。
【図８】本実施形態のトイレ装置の断面図である。
【図９】比較例のトイレ装置の断面図である。
【図１０】本実施形態における湾曲凹面４０２とボウル８１０との関係を説明するための模式平面図である。
【図１１】本体部４００の内部を前方から眺めた斜視図である。
【図１２】本体部４００の上側ケースと内部の機構を取り除きケースプレート（取付基板）７７０を露出させた状態を表す模式図である。
【図１３】バキュームブレーカーや安全弁からの排水チューブの接続部の断面構造を例示する模式図である。
【図１４】ケースプレートの上に取り付けられた温風乾燥ユニット６２０の平面図である。
【図１５】吹出口６２６から放出される温風の方向を表す模式図である。
【図１６】本発明者が実施した実験の結果を表す模式図である。
【図１７】本発明者が実施した実験の結果を表す模式図である。
【図１８】本発明者が実施した実験の結果を表す模式図である。
【符号の説明】
【００５４】
１００ 衛生洗浄装置、２００ 便座、３００ 便蓋、３１０ 透過窓、４００ 本体部、４０２ 湾曲凹面、４０４ 延出部、４０８ 傾斜面、４１０ 凹設部、４２０ 着座センサ、４３０ ケースカバー、４４０ 排気口、４５０ 排出口、４６０ ノズルダンパー、４７０ 温風ダンパー、５００ 人体検知センサ、６１０ ノズルユニット、６１１ ノズル基部、６１２〜６１４ シリンダ部、６１５ ノズルヘッド、６１７ ノズル洗浄室、６２０ 温風乾燥ユニット、６２２ 排気ファン、６２４ ダクト、６２６ 吹出口、６３０ 脱臭ユニット、６４０ コントローラ、６５０ ポンプユニット、６６０ 熱交換ユニット、６６２ 排水チューブ、６７０ 表示部、７２０ 電動開閉ユニット、７３０ 便器洗浄バルブユニット、７４０ 室内暖房ユニット、７７０ ケースプレート、７７１ 排水部、７７３ 排水孔、７７４ 吸気孔、７８０ 電動開閉ユニット、８００ 便器、８１０ ボウル、８２０ リム部
【図１】
2007284927.tif 000003
【図２】
2007284927.tif 000004
【図３】
2007284927.tif 000005
【図４】
2007284927.tif 000006
【図５】
2007284927.tif 000007
【図６】
2007284927.tif 000008
【図７】
2007284927.tif 000009
【図８】
2007284927.tif 000010
【図９】
2007284927.tif 000011
【図１０】
2007284927.tif 000012
【図１１】
2007284927.tif 000013
【図１２】
2007284927.tif 000014
【図１３】
2007284927.tif 000015
【図１４】
2007284927.tif 000016
【図１５】
2007284927.tif 000017
【図１６】
2007284927.tif 000018
【図１７】
2007284927.tif 000019
【図１８】
2007284927.tif 000020
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
吐水ノズルと温風吹出ダクトとを内蔵し、腰掛便器の上部後方に設置される本体部と、
前記本体部に対して開閉自在に軸支された便座と、
を備え、
前記本体部の前端面は、前記腰掛便器のボウルの開口に沿って後方に凹ませて、前記ボウルの開口端から前方にわずかに突出させた湾曲凹面を有し、
前記湾曲凹面は、その中央付近が高く左右端部に向けて次第に低くなる形状を有し、
前記湾曲凹面の前記中央付近に、前記吐水ノズル及び温風吹出ダクトの一端部が臨む少なくとも一つの開口部と、前記開口部を塞ぐ開閉可能な蓋体と、が設けられたことを特徴とする衛生洗浄装置。
【請求項２】
前記開口部は、前記吐水ノズルが臨む第１の開口部と、前記第１の開口部に隣接して設けられ前記温風吹出ダクトの前記一端部が臨む第２の開口部と、を含むことを特徴とする請求項１記載の衛生洗浄装置。
【請求項３】
前記本体部は、前記湾曲凹面の上に設けられ後方に向けて高くなる傾斜面を有することを特徴とする請求項１または２に記載の衛生洗浄装置。
【請求項４】
前記本体部は、前記湾曲凹面の前記左右端部よりも前記中央に近接した位置の下面に設けられた排水部を有することを特徴とする請求項１〜３のいずれか１つに記載の衛生洗浄装置。
【請求項５】
前記吐水ノズルは、噴射孔を有するノズルヘッドと少なくとも１つのシリンダ部とがスライド可能とされた多段式のノズルであることを特徴とする請求項１〜４のいずれか１つに記載の衛生洗浄装置。
【請求項６】
前記本体部は、脱臭機構をさらに有し、
前記湾曲凹面に近接した前記本体部の下面に、前記脱臭機構の吸気孔が設けられたことを特徴とする請求項１〜５のいずれか１つに記載の衛生洗浄装置。
【請求項７】
腰掛便器と、
請求項１〜６のいずれか１つに記載の衛生洗浄装置と、
を備えたことを特徴とするトイレ装置。
【手続補正２】
【補正対象書類名】明細書
【補正対象項目名】０００５
【補正方法】変更
【補正の内容】
【０００５】
本発明の一態様によれば、
吐水ノズルと温風吹出ダクトとを内蔵し、腰掛便器の上部後方に設置される本体部と、
前記本体部に対して開閉自在に軸支された便座と、
を備え、
前記本体部の前端面は、前記腰掛便器のボウルの開口に沿って後方に凹ませて、前記ボウルの開口端から前方にわずかに突出させた湾曲凹面を有し、
前記湾曲凹面は、その中央付近が高く左右端部に向けて次第に低くなる形状を有し、
前記湾曲凹面の前記中央付近に、前記吐水ノズル及び温風吹出ダクトの一端部が臨む少なくとも一つの開口部と、前記開口部を塞ぐ開閉可能な蓋体と、が設けられたことを特徴とする衛生洗浄装置が提供される。
【手続補正３】
【補正対象書類名】明細書
【補正対象項目名】０００６
【補正方法】変更
【補正の内容】
【０００６】
また、本発明の他の一態様によれば、
腰掛便器と、
上記衛生洗浄装置と、
を備えたことを特徴とするトイレ装置が提供される。